(57)【要約】【課題】処理対象の信号から検出対象の特定信号を他の信号と区別して的確に検出する。【解決手段】信号処理装置１０では、濃度方向を有する医用画像信号の曲面に対し、まず注目画素ｐが設定され、当該注目画素ｐを中心とした最小マスクサイズ３×３の範囲内の曲面を最小二乗法により近似した近似関数がＣＰＵ２１において算出される。そして、その近似関数を決定する係数を用いてその注目画素ｐにおける曲率が画像特徴量として算出される。次いで、マスクサイズが一回り大きめに変更設定されて変更されたマスクサイズ内の曲面に対し、同様に近似関数及び曲率が算出される。最大マスクサイズに達するまで近似関数及び曲率が算出されると、各マスクサイズで算出された曲率の画像特徴量が多変量解析に入力され、その多変量解析結果から異常陰影候補の信号領域が検出される。【選択図】図１
2005080757.tif 000002
【特許請求の範囲】
【請求項１】
曲面を構成する処理対象信号において、任意の注目信号を設定し、その注目信号から所定範囲内の曲面を近似した近似関数を算出する関数算出手段と、
前記関数算出手段により算出された近似関数を決定する係数を用いて近似関数が算出された所定範囲内における信号の特徴量を算出する特徴量算出手段と、
を備えることを特徴とする信号処理装置。
【請求項２】
前記関数算出手段は、注目信号から所定範囲内の曲面の近似関数を複数算出し、
前記特徴量算出手段は、前記算出された複数の近似関数のそれぞれから特徴量を算出することを特徴とする請求項１に記載の信号処理装置。
【請求項３】
前記関数算出手段は、近似関数を算出する範囲を変更して、変更された範囲毎に近似関数を算出し、
前記特徴量算出手段は、前記算出された各範囲における近似関数のそれぞれから特徴量を算出することを特徴とする請求項２に記載の信号処理装置。
【請求項４】
前記関数算出手段は、近似する関数の次数を変更して、変更された次数毎にその次数の近似関数を算出し、
前記特徴量算出手段は、前記算出された各次数の近似関数のそれぞれから特徴量を算出することを特徴とする請求項２に記載の信号処理装置。
【請求項５】
前記特徴量算出手段は、特徴量として前記関数算出手段により算出された近似関数の係数から曲率を算出することを特徴とする請求項１〜４の何れか一項に記載の信号処理装置。
【請求項６】
前記特徴量算出手段は、曲率の特徴量を算出するとともに、当該算出された曲率を用いて曲率に関する特徴量を算出することを特徴とする請求項５に記載の信号処理装置。
【請求項７】
前記関数算出手段は、最小二乗法により近似関数を算出することを特徴とする請求項１〜６の何れか一項に記載の信号処理装置。
【請求項８】
前記関数算出手段により最小二乗法で算出される近似関数は多次元多項式関数であることを特徴とする請求項７に記載の信号処理装置。
【請求項９】
前記特徴量算出手段は、多次元多項式関数の二次の項、一次の項、定数項の何れか又は全てを用いて特徴量を算出することを特徴とする請求項８に記載の信号処理装置。
【請求項１０】
前記処理対象信号は、画像信号であることを特徴とする請求項１〜９の何れか一項に記載の信号処理装置。
【請求項１１】
前記画像信号は、医用画像信号であることを特徴とする請求項１０に記載の信号処理装置。
【請求項１２】
前記特徴量算出手段により算出される特徴量を用いて、ガウス分布状又は円錐構造状の曲面を構成する信号領域を検出する検出手段を備えることを特徴とする請求項１０又は１１に記載の信号処理装置。
【請求項１３】
前記検出手段は、前記特徴量算出手段により算出された特徴量を用いて、医用画像信号から腫瘤陰影候補の信号領域を検出することを特徴とする請求項１２に記載の信号処理装置。
【請求項１４】
前記検出手段は、前記特徴量算出手段により算出された特徴量を用いて、医用画像信号から微小石灰化クラスタ陰影候補の信号領域を検出することを特徴とする請求項１２に記載の信号処理装置。
【発明の詳細な説明】
【技術分野】
【０００１】
曲面を構成する信号における特徴量を算出する信号処理装置に関する。
【背景技術】
【０００２】
医療の分野においては、医用画像のデジタル化が実現され、ＣＲ（Computed Radiography）装置等により生成された医用画像データをモニタに表示し、このモニタに表示された医用画像を医師が読影して、病変部の状態や経時変化を観察して診断を行っている。
【０００３】
従来、このような医師の読影に対する負担軽減を目的として、上記医用画像データを画像処理することにより、画像上に現れた病変部の陰影を異常陰影候補として自動的に検出するコンピュータ診断支援装置（Computed-Aided Diagnosis；以下、ＣＡＤという。）と呼ばれる医用信号処理装置が開発されている。
【０００４】
病変部の陰影は、特徴的な濃度分布を有していることが多く、ＣＡＤは、このような濃度特性に基づいて病変部と予測される画像領域を異常陰影候補領域として検出するものである。例えば、乳癌の癌化部分の特徴的なものとして腫瘤、微小石灰化クラスタが挙げられるが、乳房を撮影した医用画像（これをマンモグラフィという。）上では、腫瘤陰影はガウス分布に近い濃度変化を持った白っぽく丸い陰影として現れる一方、微小石灰化クラスタは、微小石灰化した部分が集まって（クラスタ化して）存在するものであり、マンモグラフィ上では略円錐構造の濃度変化を持った白っぽく丸い陰影として現れる。
【０００５】
上記ＣＡＤでは、検出目的とする病変種類に応じて様々な検出アルゴリズムが開発されており、腫瘤陰影の検出に最適なアルゴリズムとしてはアイリスフィルタを用いた手法が提案されているし（例えば、特許文献１、特許文献２参照）、微小石灰化クラスタ陰影の検出に最適なアルゴリズムとしてはモルフォルジーフィルタを用いた手法等が提案されている。
【特許文献１】特開平８−２６３６４１号公報
【特許文献２】特開平１０−９１７５８号公報
【発明の開示】
【発明が解決しようとする課題】
【０００６】
しかしながら、アイリスフィルタは、一般的に腫瘤陰影のように丸く周囲に比べて低濃度である領域に強く反応するため、円形度が高く厚みのある乳腺が塊状となって画像上に現れている場合、正常組織の乳腺をも異常陰影として誤検出してしまう場合がある。同様に、画像上にノイズのような高周波信号が発生している場合、微小石灰化クラスタ陰影とノイズの信号変化が類似しているため、判別がつきにくく、やはりノイズ領域を誤検出してしまうことがある。
【０００７】
また、画像信号を濃度成分を有する３次元信号として見た場合、画像信号は濃度分布を示す曲面を構成する。異常陰影は上述したように円錐構造状等の濃度変化を示すので、異常陰影の信号領域は特徴的な曲面を構成するはずである。しかしながら、アイリスフィルタのようにある注目画素への濃度勾配の集中度を検出する等、濃度特性に基づいて異常陰影候補を検出する手法は開発されているものの、陰影の濃度分布の曲面形状を考慮した手法はいまだ提案されていない。
【０００８】
また、微小石灰化クラスタ陰影は、石灰化した低濃度な点状の陰影が有る程度広がりを持って画像上に現れることが一般的であるが、領域的な特徴を考慮して異常陰影候補の検出することは行われていなかった。
【０００９】
さらに、医用画像信号における信号処理に限らず、信号解析全般において検出対象である特定の信号のみを検出し、ノイズ成分をいかに正確に除去しうるかは依然として重要な課題である。
【００１０】
本発明の課題は、処理対象の信号から検出対象の特定信号を他の信号と区別して的確に検出することである。
【課題を解決するための手段】
【００１１】
請求項１に記載の発明は、信号処理装置において、
曲面を構成する処理対象信号において、任意の注目信号を設定し、その注目信号から所定範囲内の曲面を近似した近似関数を算出する関数算出手段と、
前記関数算出手段により算出された近似関数を決定する係数を用いて近似関数が算出された所定範囲内における信号の特徴量を算出する特徴量算出手段と、
を備えることを特徴とする。
【００１２】
ここで、処理対象信号としては、曲面を構成する信号であれば、画像信号や音信号、色信号等の様々な信号が適用可能である。
【００１３】
請求項２に記載の発明は、請求項１に記載の信号処理装置において、
前記関数算出手段は、注目信号から所定範囲内の曲面の近似関数を複数算出し、
前記特徴量算出手段は、前記算出された複数の近似関数のそれぞれから特徴量を算出することを特徴とする。
【００１４】
請求項３に記載の発明は、請求項２に記載の信号処理装置において、
前記関数算出手段は、近似関数を算出する範囲を変更して、変更された範囲毎に近似関数を算出し、
前記特徴量算出手段は、前記算出された各範囲における近似関数のそれぞれから特徴量を算出することを特徴とする。
【００１５】
請求項４に記載の発明は、請求項２に記載の信号処理装置において、
前記関数算出手段は、近似する関数の次数を変更して、変更された次数毎にその次数の近似関数を算出し、
前記特徴量算出手段は、前記算出された各次数の近似関数のそれぞれから特徴量を算出することを特徴とする。
【００１６】
請求項５に記載の発明は、請求項１〜４の何れか一項に記載の信号処理装置において、
前記特徴量算出手段は、特徴量として前記関数算出手段により算出された近似関数の係数から曲率を算出することを特徴とする。
【００１７】
請求項６に記載の発明は、請求項５に記載の信号処理装置において、
前記特徴量算出手段は、曲率の特徴量を算出するとともに、当該算出された曲率を用いて曲率に関する特徴量を算出することを特徴とする。
【００１８】
請求項７に記載の発明は、請求項１〜６の何れか一項に記載の信号処理装置において、
前記関数算出手段は、最小二乗法により近似関数を算出することを特徴とする。
【００１９】
請求項８に記載の発明は、請求項７に記載の信号処理装置において、
前記関数算出手段により最小二乗法で算出される近似関数は多次元多項式関数であることを特徴とする。
【００２０】
請求項９に記載の発明は、請求項８に記載の信号処理装置において、
前記特徴量算出手段は、多次元多項式関数の二次の項、一次の項、定数項の何れか又は全てを用いて特徴量を算出することを特徴とする。
【００２１】
請求項１０に記載の発明は、請求項１〜９の何れか一項に記載の信号処理装置において、
前記処理対象の信号は、画像信号であることを特徴とする。
【００２２】
請求項１１に記載の発明は、請求項１０に記載の信号処理装置において、
前記画像信号は、医用画像信号であることを特徴とする。
【００２３】
請求項１２に記載の発明は、請求項１０又は１１に記載の信号処理装置において、
前記特徴量算出手段により算出される特徴量を用いて、ガウス分布状又は円錐構造状の曲面を構成する信号領域を検出する検出手段を備えることを特徴とする。
【００２４】
請求項１３に記載の発明は、請求項１２に記載の信号処理装置において、
前記検出手段は、前記特徴量算出手段により算出された特徴量を用いて、医用画像信号から腫瘤陰影候補の信号領域を検出することを特徴とする。
【００２５】
請求項１４に記載の発明は、請求項１２に記載の信号処理装置において、
前記検出手段は、前記特徴量算出手段により算出された特徴量を用いて、医用画像信号から微小石灰化クラスタ陰影候補の信号領域を検出することを特徴とする。
【発明の効果】
【００２６】
請求項１、５に記載の発明によれば、注目信号から所定範囲内の曲面を近似した近似関数を算出し、その所定範囲内の信号の特徴量として近似関数の係数を用いて曲率を算出するので、算出された曲率の特徴量から曲面形状を推定することができる。従って、処理対象の信号から特徴的な曲面形状を構成する検出対象の信号を他の信号と区別して的確に検出することができる。例えば、濃度分布の曲面を構成する医用画像信号から特徴的な濃度分布の曲面形状を有する異常陰影の画像信号領域等を検出することができる。
【００２７】
請求項２に記載の発明によれば、曲面に対して複数の近似関数を算出し、算出された各近似関数から曲率の特徴量を算出するので、複数の特徴量を用いて検出対象の信号を検出することが可能となる。
【００２８】
請求項３に記載の発明によれば、近似関数を算出する範囲を変更し、変更された各範囲で算出された近似関数の係数から曲率の特徴量を算出するので、変更された各範囲で算出された複数の特徴量を用いて検出対象の特定信号を検出することが可能となる。従って、信号変化の領域性を考慮した信号検出を行うことができ、信号検出精度を向上させることができる。また、注目画素から曲率を算出する範囲を変更することで注目画素から離れた画素の情報を利用することが可能であり、周波数成分に近い情報を得ることも期待できる。
【００２９】
請求項４に記載の発明によれば、近似する関数の次数を変更して、変更された各次数の近似関数を算出するので、各次数の近似関数から曲率の特徴量を算出し、この算出された複数の特徴量を用いて検出対象の特定信号を検出することができる。一般に近似関数の次数が高くなるにつれて近似精度が向上するため、近似された曲面には高周波成分が現れる。従って、信号の周波数の情報を考慮した信号検出を行うことができ、信号検出精度を向上させることができる。
【００３０】
請求項６に記載の発明によれば、算出された曲率から新たな特徴量を算出することができる。
【００３１】
請求項７に記載の発明によれば、最小二乗法により近似関数を算出することができる。
【００３２】
請求項８、９に記載の発明によれば、最小二乗法により算出される近似関数は多次元多項式関数であり、多次元多項式関数の２次の項、１次の項、定数項の係数を用いて曲率の特徴量を算出することができる。
【００３３】
請求項１０に記載の発明によれば、画像信号を処理対象とすることができる。従って、画像信号から検出対象とする特定の画像信号の信号領域を検出することができる。
【００３４】
請求項１１に記載の発明によれば、医用画像の画像信号を処理対象とすることができる。従って、医用画像信号から検出対象とする異常陰影候補の領域等、特定の画像信号の信号領域を検出することができる。
【００３５】
請求項１２に記載の発明によれば、曲率の特徴量を用いて、ガウス分布状又は円錐構造状の特徴的な信号変化を有する信号領域を他の信号と区別して検出することができる。例えば、医用画像信号からガウス分布状の曲面形状を構成する腫瘤陰影の信号領域や、円錐構造状の曲面形状を構成する微小石灰化クラスタ陰影の信号領域を検出することが可能となる。
【００３６】
請求項１３に記載の発明によれば、曲率の特徴量を用いて、医用画像信号からガウス分布状の信号変化を有する腫瘤陰影候補の信号領域を検出することができる。
【００３７】
請求項１４に記載の発明によれば、曲率の特徴量を用いて、医用画像信号から円錐構造状の信号変化を有する微小石灰化クラスタ陰影候補の信号領域を検出することができる。
【発明を実施するための最良の形態】
【００３８】
〈第１の実施の形態〉
第１の実施の形態では、濃度方向を有する医用画像信号により構成される濃度分布の曲面を最小二乗法により近似した近似関数を算出し、当該近似関数を決定する係数を用いてその曲面における曲率を画像特徴量として算出する際に、近似関数を算出する曲面の領域範囲を変更し、変更された各領域範囲における近似関数を算出して画像特徴量を算出する例を説明する。
【００３９】
まず、構成を説明する。
図１に、第１の実施の形態における信号処理装置１０の機能的構成を示す。
図１に示すように、信号処理装置１０は、ＣＰＵ（Central Processing Unit）１１、Ｉ／Ｆ（InterFace）１２、操作部１３、表示部１４、通信部１５、ＲＡＭ（Random Access Memory）１６、ＲＯＭ（Read Only Memory）１７、プログラムメモリ１８から構成される。
【００４０】
ＣＰＵ１１は、プログラムメモリ１８に格納されているシステムプログラムの他、本発明に係る異常陰影候補検出処理プログラム（図６参照）をＲＡＭ１６に展開し、当該プログラムとの協働により信号処理装置１０の各部の動作を集中制御する。
【００４１】
異常陰影候補検出処理では、医用画像信号から画像特徴量として曲率を算出し、この曲率の画像特徴量を用いて異常陰影候補の画像領域を検出する。
【００４２】
以下、図２〜図４を参照して、曲率の算出方法について詳細に説明する。
図２（ａ）は、位置（ｘ、ｙ方向）、濃度（ｚ方向）の３方向の信号成分からなる医用画像信号における濃度分布の曲面Ｅを示す図である。図２（ｂ）は、曲面Ｅ上の任意の一画素を注目画素ｐに設定し、この注目画素ｐの接平面をｘｙ座標面、注目画素ｐの法線方向をｚ軸とし、注目画素ｐを原点とした局所座標系を示す図である。なお、図２（ａ）では、説明の便宜上、曲面Ｅを滑らかな曲面で示したが、実際にはデジタル画像を扱うので、図３に示すように、曲面Ｅは画素毎に離散的な濃度値を示す階段状となっている。
【００４３】
局所座標系で曲面Ｅを示すと、下記の式１のように示される。
【００４４】
【数１】
2005080757.tif 000003
【００４５】
また、ｘ軸と角度θをなす法断面上の注目画素ｐにおける曲率κ（θ）（法断面上の注目画素ｐにおける曲率を特に法曲率という。）は、次式２により求められる。
【００４６】
【数２】
2005080757.tif 000004
【００４７】
すなわち、曲面Ｅの近似関数を算出し、その算出された近似関数を決定する２次の項の係数ａ、１次の項の係数ｂ、定数項の係数ｃの各係数を求めることにより、法曲率κ（θ）を算出することができる。
【００４８】
本実施の形態では、最小二乗法により２次関数で曲面Ｅを近似する、つまり２次曲面で近似する。
最小二乗法による近似関数の算出は、まず曲面Ｅの近似関数を２次関数「ｙ＝ａ′ｘ2＋ｂ′ｘ＋ｃ′」と仮定し、画素信号値（ｘ、ｙ）とこの近似関数の出力値の差の二乗平均Ｓを算出する。そして、算出された二乗平均Ｓを各係数ａ′、ｂ′、ｃ′に対して偏微分した値が０となるように設定することにより、係数ａ′、ｂ′、ｃ′を算出し、近似関数を決定する。
【００４９】
そして、曲面Ｅを最小二乗法により２次関数「ｙ＝ａ′ｘ2＋ｂ′ｘ＋ｃ′」で近似することにより得られた２次の項の係数ａ′、１次の項の係数ｂ′、定数項の係数ｃ′の各係数を、式２のａ、ｂ、ｃにそれぞれ代入することにより、法曲率κ（θ）が求められる。
【００５０】
ここで、注目画素ｐの法曲率κ（θ）は、法線を中心として法平面を回転させると、法断面の形状が変化するため、法曲率κ（θ）の値もまた変化することになる。すなわち、法曲率κ（θ）は、法平面の回転角度θにより、最大値及び最小値をとる。そこで、κ（θ）が最大となる回転角度θ、κ（θ）が最小となる回転角度θを求めて、最大曲率κ1、最小曲率κ2を算出する。
【００５１】
算出された最大曲率κ1、最小曲率κ2から下記の式３、式４により、平均曲率Ｈ、ガウス曲率Ｋを求めることができる。
Ｈ＝１／２（κ1＋κ2）・・・（３）
Ｋ＝κ1κ2・・・・・・・・・（４）
【００５２】
ＣＰＵ１１は、上述した方法により、濃度分布を示す曲面上のある注目画素ｐを中心とし、曲率を求める範囲、つまりマスクサイズｎ×ｎを変更して、変更された各マスクサイズにおける曲面の近似関数を算出し、当該算出された近似関数の係数から各マスクサイズｎ×ｎにおける最大曲率κn1、最小曲率κn2、平均曲率Ｈn、ガウス曲率Ｋn（ｎはマスクサイズのパラメータを示す）の各種曲率を算出する。
【００５３】
例えば、図３に示すような信号分布をした医用画像信号を処理対象とする場合、まず注目画素ｐを中心としてマスクサイズ３×３の範囲内の曲面を最小二乗法により２次曲面で近似した近似関数を算出する。そして、近似関数を決定する係数から最大曲率κn1、最小曲率κn2、そして平均曲率Ｈn、ガウス曲率Ｋnの各特徴量を算出する。同様に、マスクサイズｎ×ｎを５×５、７×７、・・・と注目画素ｐから１画素分づつ範囲を広げて順次特徴量を算出していく。
【００５４】
図４に、３×３、５×５、７×７とマスクサイズのパラメータｎを変更して算出された近似関数により近似された曲面を示す。図４（ａ）は、原信号の曲面を示す図であり、注目画素ｐを中心としたマスクサイズ７×７の領域範囲内における曲面である。この原信号に対して３×３のマスクサイズで２次関数により近似された曲面が図４（ｂ）に示すものであり、同様に５×５、７×７のマスクサイズで近似された曲面が図４（ｃ）、（ｄ）に示すものである。図４に示すように、マスクサイズが大きくなるにつれて低周波成分が算出される曲率に影響を及ぼしている。
【００５５】
このようにしてマスクサイズを広げて予め設定された最大マスクサイズ、例えば１３×１３のマスクサイズにおける特徴量算出を終えると、ＣＰＵ１１は、３×３〜１３×１３までのマスクサイズで算出された各特徴量、最大曲率κn1、最小曲率κn2、平均曲率Ｈn、ガウス曲率Ｋnを多変量解析に入力し、注目画素ｐ周辺の画像領域は真陽性の異常陰影である可能性が高いか否かを判定する。なお、上記各種曲率に加え、κ（θ）の分散、標準偏差等、κ（θ）を用いて曲率に関する特徴量を算出し、この曲率に関する特徴量も併せて利用して多変量解析を行うこととしてもよい。
【００５６】
以下、多変量解析について説明する。
特徴量として算出された平均曲率Ｈは、曲面が全体として凹形状か凸形状かを示す指標となり、正の方向にＨの値が大きいほど曲面は凹形状を示し、負の方向にＨの値が大きいほど凸形状を示す。また、ガウス曲率Ｋは、曲面の平面への展開のしにくさを示す指標となり、Ｋの値の絶対値が大きいほど平面に展開しにくく、Ｋの値が０のとき平面に展開可能な形状であることを示す。
【００５７】
曲面の形状は、平均曲率Ｈとガウス曲率Ｋの符号の組み合わせにより、図５に示すように分類可能である。図５に示すように、Ｋ及びＨが何れも正の値をとるとき曲面の形状は凹型、Ｋ＝０かつＨ＞０のときは半円筒状の谷型といったように、平均曲率Ｈとガウス曲率Ｋの値の正負の状態により曲面の形状を分類することができる。
【００５８】
微小石灰化クラスタや腫瘤の陰影は凹型の形状に分類されるが、微小石灰化クラスタは凹の形状がやや円錐形に近い一方、腫瘤はなだらかなガウス分布状の凹形状となる傾向がある。また、乳腺の陰影は谷型の形状に分類されるため、微小石灰化クラスタや腫瘤等の異常陰影と容易に区別することができる。
【００５９】
一方で、微小石灰化クラスタ陰影は、点状の石灰化部分が２００μｍ〜１ｍｍ程度の広がりを持って画像上に現れる領域性を有している。従って、例えばサンプリングピッチを５０μｍとした場合、ある程度の広がりを持った円錐形の濃度変化がいくつも見られる可能性が高い。また、腫瘤陰影は、５ｍｍ〜３ｃｍ程度の大きさを有しているものが多く、画像上では５ｍｍ〜３ｃｍの領域範囲でガウス分布状の濃度変化が見られることが推測される。
【００６０】
従って、予め既知の異常陰影に対して、異常陰影の種類又は大きさに応じたマスクサイズｎ×ｎで最大曲率κn1、最小曲率κn2、平均曲率Ｈn、ガウス曲率Ｋnの画像特徴量を求めておき、これを標本データとして多変量解析にセットし、多変量解析の出力値としてどの異常陰影の特徴をどの程度有しているかを示す指標値を出力するように多変量解析を構築する。多変量解析の手法としては、人工ニューラルネットワーク、主成分分析、判別分析等が挙げられるが、何れを適用してもよいし、これら以外の手法であってもよい。
【００６１】
そして、多変量解析の結果、得られた指標値から注目画素ｐを中心とするマスクサイズｎ×ｎの領域は、真陽性の異常陰影であるか否かを判定する。例えば、腫瘤陰影を検出対象として、腫瘤陰影の特徴をどの程度有しているかを０〜１の値に正規化して出力されるように多変量解析を構築する。この正規化された指標値は１に近い程、腫瘤陰影の特徴を有している程度が大きいことを示す。そして、算出された各種曲率の特徴量を多変量解析に入力して０〜１に正規化された指標値を得て、指標値が閾値、例えば０．７より大きい場合は、真陽性であると判定し、閾値０．７より小さい場合は偽陽性であると判定する。
【００６２】
指標値から真陽性の異常陰影であると判定されると、ＣＰＵ１１は、特徴量が算出された注目画素ｐを中心とするマスクサイズ１３×１３の画像領域を異常陰影の候補領域として検出する。すなわち、異常陰影候補検出処理プログラムとＣＰＵ１１との協働により、関数算出手段、特徴量算出手段及び検出手段を実現することができる。
【００６３】
Ｉ／Ｆ１２は、画像生成装置Ｇと接続するためのインターフェイスであり、画像生成装置Ｇにおいて生成された医用画像信号を信号処理装置１０に入力する。
【００６４】
画像生成装置Ｇとしては、例えば医用画像が記録されたフィルム上にレーザ光を走査して医用画像信号を読み取るレーザデジタイザや、ＣＣＤ（Charge Coupled Device）等の光電変換素子からなるセンサによりフィルムに記録された医用画像信号を読み取るフィルムスキャナ等が適用可能である。
【００６５】
また、フィルムに記録された医用画像を読み取るのではなく、蓄積性蛍光体を用いて医用画像を撮影する撮影装置や、照射された放射線の強度に応じた電荷を生成する放射線検出素子とコンデンサからなるフラットパネルディテクタ等を接続可能な構成としてもよく、その医用画像信号の入力方法は特に限定しない。
【００６６】
操作部１３は、カーソルキーや数字キー、各種機能キーからなるキーボードを備えて構成され、押下されたキーに対応する操作信号をＣＰＵ１１に出力する。なお、必要に応じてマウスやタッチパネル等のポインティングディバイスを含むこととしてもよい。
【００６７】
表示部１４は、ＬＣＤ（Liquid Crystal Display）等から構成され、医用画像や、ＣＰＵ１１による異常陰影候補の検出結果等の各種表示情報を表示する。
【００６８】
通信部１５は、ネットワークインターフェイスカード、モデム、ターミナルアダプタ等の通信用インターフェイスにより構成され、通信ネットワーク上の外部機器と各種情報の送受信を行う。例えば、通信部１５を介して画像生成装置Ｇから医用画像信号を受信する構成としてもよいし、通信部１５を介して病院内のサーバ等に接続したり、各診療室に設置される診療端末に接続して、異常陰影候補の検出結果を送信する構成としてもよい。
【００６９】
ＲＡＭ１６は、ＣＰＵ１１によって実行される各種プログラムやこれらプログラムによって処理されたデータ等を一時的に記憶するワークエリアを形成する。
【００７０】
ＲＯＭ１７は、ＣＰＵ１１によって処理されたデータ等を記憶するメモリである。ＲＯＭ１７は、特徴量ファイル１７１を備え、この特徴量ファイル１７１にＣＰＵ１１によって算出された特徴量を格納する。
【００７１】
プログラムメモリ１８は、システムプログラムや異常陰影候補検出処理プログラム及び各種プログラムで処理されたデータ等を記憶する。
【００７２】
次に、第１の実施の形態における動作を説明する。
図６は、信号処理装置１０により実行される異常陰影候補検出処理を説明するフローチャートである。この処理は、Ｉ／Ｆ１２を介して画像生成装置Ｇから入力された医用画像信号から曲率等の特徴量を算出し、当該特徴量に基づいて異常陰影候補の信号領域を検出する処理である。
【００７３】
図６に示す異常陰影候補検出処理では、まず医用画像信号に対して、任意の注目画素ｐが設定される（ステップＳ１）。次いで、初期値としてマスクサイズのパラメータｎがｎ＝３に設定され（ステップＳ２）、近似関数を算出するマスクサイズｎ×ｎが決定される（ステップＳ３）。
【００７４】
次いで、注目画素ｐを中心としたマスクサイズｎ×ｎの領域範囲における濃度分布の曲面が最小二乗法により２次関数で近似され、その近似関数が決定される。最初のルーチンでは、ｎ＝３の初期値に設定されているので、３×３のマスクサイズの領域における曲面の近似関数が決定される。なお、本実施の形態では、２次関数で近似する例を説明するが、マスクサイズを変更しても近似する関数の次数が同じであるならば、４次、６次等その近似する関数の次数は特に限定しない。
【００７５】
近似関数が決定されると、この近似関数を決定する係数が取得され（ステップＳ４）、当該取得された係数を用いて注目画素ｐにおける最大曲率κn1、最小曲率κn2、平均曲率Ｈn、ガウス曲率Ｋnの各特徴量が算出される（ステップＳ５）。算出された各特徴量のデータは、特徴量ファイル１７１に格納される（ステップＳ６）。
【００７６】
算出された特徴量のデータが保存されると、マスクサイズのパラメータｎにｎ＋２の値が代入され、マスクサイズが一回り大きく変更設定される（ステップＳ７）。次いで、ｎ＝１５となり、ｎの値が近似関数の算出を行う最大マスクサイズとして設定されている値１３を超えたか否かが判別される（ステップＳ８）。ｎの値がｎ＝１５ではない場合（ステップＳ８；Ｎ）、ステップＳ３の処理に戻り、新たに設定されたマスクサイズｎ×ｎの領域範囲で再度特徴量の算出が行われる。そして、れる。
【００７７】
一方、マスクサイズ３×３〜１３×１３の各領域範囲で順次特徴量の算出が繰り返され、ｎ＝１５に達した場合（ステップＳ８；Ｙ）、各マスクサイズで算出された複数の特徴量を用いて多変量解析が行われる（ステップＳ９）。
【００７８】
多変量解析により検出対象の異常陰影の特徴をどの程度有しているかを示す指標値が解析結果として得られると、その指標値に基づいて異常陰影候補の検出が行われる（ステップＳ１０）。例えば、検出対象が腫瘤陰影であり、多変量解析結果として出力された指標値が予め腫瘤陰影に対して設定された閾値より高い場合は、真陽性の異常陰影である可能性が高いと判定され、注目画素ｐを中心としたマスクサイズ１３×１３の領域範囲が異常陰影の候補領域として検出される一方、指標値が閾値より低い場合は異常陰影である可能性が低い判定され、異常陰影候補として検出されずに次の処理、ステップＳ１１へ移行する。
【００７９】
このようにして、ある注目画素ｐを中心として最小マスクサイズ３×３から最大マスクサイズ１３×１３までの所定範囲内で特徴量が算出され、その特徴量を用いて異常陰影候補の検出が行われると、全ての検出対象領域について異常陰影候補の検出が終了したか否かが判別される（ステップＳ１１）。全ての検出対象領域について検出が終了しておらず、検出対象領域がまだ存在する場合は（ステップＳ１１；Ｎ）、その未検出領域において注目画素ｐ′が再設定され（ステップＳ１２）、ステップＳ２の処理に戻って再設定された注目画素ｐ′について再度特徴量の算出が繰り返される。なお、全ての画素に対して注目画素ｐ′を順次設定して異常陰影候補領域の検出を行うこととしてもよいし、ある所定間隔で順次注目画素ｐ′を設定していくこととしてもよい。
【００８０】
一方、全ての検出対象領域に対して異常陰影候補の検出が行われ、未検出の検出対象領域が存在しない場合（ステップＳ１１；Ｙ）、本処理を終了する。
【００８１】
以上のように、濃度分布の曲面を構成する医用画像信号において、注目画素ｐを設定し、当該注目画素ｐを中心とした所定範囲の領域に対して、その範囲内における濃度分布の曲面を近似した近似関数を算出し、当該近似関数を決定する係数から曲率を特徴量として算出して異常陰影候補の検出に用いるので、特徴的な曲面形状を構成する異常陰影の信号領域を正常組織の信号領域と区別して的確に検出することができる。
【００８２】
特に、マンモグラフィでは、乳腺のような線状の正常組織でも、細いものから太いものまで様々な太さのものが存在するので、太く塊状となった乳腺組織の陰影は円形度が高い腫瘤や丸く広がりを持った微小石灰化クラスタの陰影と判別しがたい場合がある。しかしながら、曲率を算出すると、図５に示したように乳腺のような線状組織は谷型となるに対し、腫瘤や微小石灰化クラスタは凹型を示す。従って、線状の正常組織のような偽陽性陰影を異常陰影として誤検出することを防ぐことができる。
【００８３】
また、第１の実施の形態では、注目画素ｐを中心として曲率を算出する領域範囲（マスクサイズ）を変更し、各領域範囲で曲率を算出して複数の特徴量とするので、陰影の広がりの程度を考慮して総合的に異常陰影か否かを判定することができ、様々な大きさを有する異常陰影に対応することができる。
【００８４】
例えば、腫瘤陰影は５ｍｍ〜３ｃｍ程度の大きさであるのに対し、微小石灰化クラスタ陰影は、２００μｍ〜１ｍｍ程度と腫瘤陰影よりかなり小さいサイズとなる。従って、腫瘤陰影を検出する際にはマスクサイズを最大３ｃｍ程度まで変更し、微小石灰化クラスタ陰影を検出する際にはマスクサイズを最大１ｍｍ程度まで変更することにより、検出対象とする異常陰影に対応することができる。
【００８５】
特に、微小石灰化クラスタの陰影は、高周波な石灰化部分がある程度の広がりを持って画像上に現れるのに対し、ノイズは非常に高周波な陰影として局所的に画像上に現れるので、曲率を算出する領域範囲を徐々に広げながら真陽性の異常陰影であるか否かを判定することにより、領域分布性を有する微小石灰化クラスタのような真陽性の異常陰影とノイズのような偽陽性の陰影とを区別することが可能となる。
【００８６】
また、このように検出対象の病変種類の大きさに応じてマスクサイズを設定することにより、異なる病変種類の異常陰影を１つの検出アルゴリズムで検出することができる。従来の検出アルゴリズムでは、病変種類に特化したフィルタを用いることが多く、検出対象とする病変種類に応じたフィルタをいくつも準備しなければならかったが、本発明では１つのアルゴリズムで複数の病変種類の異常陰影を検出することが可能であるので効率的である。
【００８７】
〈第２の実施の形態〉
第２の実施の形態では、濃度方向を有する医用画像信号から構成される濃度分布の曲面を最小二乗法により近似した近似関数を算出し、当該近似関数を決定する係数を用いてその画像特徴量を算出する際に、近似する関数の次数を変更し、変更された各次数の近似関数を算出して画像特徴量を算出する例を説明する。
【００８８】
まず、構成を説明する。
第２の実施の形態における信号処理装置の内部構成は、第１の実施の形態における信号処理装置１０と同一であるので、同一構成部には同一の符号を付して図示を省略し、異なる機能部分についてのみ説明する。すなわち、第２の実施の形態における信号処理装置１０は、ＣＰＵ１１、Ｉ／Ｆ１２、操作部１３、表示部１４、通信部１５、ＲＡＭ１６、ＲＯＭ１７、プログラムメモリ１８から構成される。
【００８９】
ＣＰＵ１１は、プログラムメモリ１８に格納されているシステムプログラムの他、本発明に係る異常陰影候補検出処理プログラム（図８参照）をＲＡＭ１６に展開し、当該プログラムとの協働により信号処理装置１０の各部の動作を集中制御する。
【００９０】
異常陰影候補検出処理では、医用画像信号から画像特徴量として曲率を算出し、この画像特徴量を用いて異常陰影候補の信号領域を検出する。なお、近似関数の算出方法及び曲率の算出方法は、第１の実施の形態で説明した方法と同様であるので、その説明は省略する。
【００９１】
第２の実施の形態では、ＣＰＵ１１は、曲率の特徴量を算出する際に近似関数を算出するマスクサイズを固定し、注目画素ｐから所定のマスクサイズ、例えば７×７のマスクサイズの曲面に対し、２次関数、４次関数、６次関数、・・・と近似する関数の次数を変更し、変更された各次数の関数で曲面を近似した近似関数を算出する。
【００９２】
図７に、２次、４次、６次と次数のパラメータｍを変更した近似関数により近似された曲面を示す。図７（ａ）は、原信号の曲面を示す図であり、注目画素ｐを中心としたマスクサイズ７×７の領域範囲の曲面である。この原信号に対して２次関数により近似された曲面が図７（ｂ）に示すものであり、同様に４次関数、６次関数により近似された曲面が図７（ｃ）、図７（ｄ）に示すものである。近似する次数が高くなるほど近似精度が向上し、曲面の形状が原信号に近くなっている。
【００９３】
各次数の近似関数が算出されると、各次数の近似関数における２次の項、１次の項、定数項の係数ａ′、ｂ′、ｃ′を得て上述した式２に代入し、注目画素ｐにおける法曲率κm（θ）の最大曲率κm1、最小曲率κm2を算出し、さらに平均曲率Ｈm、ガウス曲率Ｋmを特徴量として算出する（ｍは次数のパラメータを示す）。
【００９４】
ＣＰＵ１１は、各次数の近似関数から算出された特徴量を多変量解析に入力し、異常陰影の可能性が高いか否かを判定する。多変量解析についても第１の実施の形態と同様に、予め既知の異常陰影に対して、異常陰影の種類又は大きさに応じたマスクサイズで最大曲率κm1、最小曲率κm2、平均曲率Ｈm、ガウス曲率Ｋmの各特徴量を求めておき、これを標本データとして多変量解析にセットし、多変量解析の出力値としてどの異常陰影の特徴をどの程度有しているかを示す指標値を出力するように多変量解析を構築する。多変量解析の結果、異常陰影である可能性が高い指標値が得られると、ＣＰＵ１１は、注目画素ｐを中心とした所定のマスクサイズ内の画像領域を異常陰影の候補領域として検出する。
【００９５】
次に、第２の実施の形態における動作を説明する。
図８は、信号処理装置１０により実行される異常陰影候補検出処理を説明するフローチャートである。この処理は、Ｉ／Ｆ１２を介して画像生成装置Ｇから入力された医用画像信号から曲率等の特徴量を算出し、当該特徴量に基づいて異常陰影の候補領域を検出する処理である。
【００９６】
図６に示す異常陰影候補検出処理では、まずＩ／Ｆ１２を介して画像生成装置Ｇから入力された医用画像信号に対して、任意の注目画素ｐが設定される（ステップＳ１０１）。次いで、初期値として次数のパラメータｍがｍ＝２に設定され、近似関数を算出する次数ｍが決定される（ステップＳ１０２）。
【００９７】
次いで、所定のマスクサイズｎ×ｎの領域範囲における濃度分布の曲面が最小二乗法によりｍ次関数で近似され、そのｍ次の近似関数が決定される。最初のルーチンでは、ｍ＝２の初期値に設定されているので、２次の近似関数が決定される。
【００９８】
近似関数が決定されると、その近似関数の２次の項、１次の項、定数項の各係数が取得され（ステップＳ１０３）、当該取得された係数を用いて注目画素ｐにおける最大曲率κm1、最小曲率κm2、平均曲率Ｈm、ガウス曲率Ｋmの各特徴量が算出される（ステップＳ１０４）。算出された各特徴量のデータは、特徴量ファイル１７１に格納される（ステップＳ１０５）。
【００９９】
算出された特徴量のデータが保存されると、次数のパラメータｍにｍ＋２の値が代入され、近似関数の次数が１段階高次数に設定される（ステップＳ１０６）。次いで、ｍの値が、近似関数の算出を行う最大次数として設定されている値８に達したか否かが判別される（ステップＳ１０７）。ｍ＝８ではない場合（ステップＳ１０７；Ｎ）、ステップＳ１０３の処理に戻り、新たに設定された次数ｍで再度近似関数が算出され、特徴量の算出が行われる。
【０１００】
一方、２次、４次、６次と各次数で順次近似関数及び特徴量の算出が繰り返され、ｎ＝８に達した場合（ステップＳ１０７；Ｙ）、次数を変更して算出された特徴量を用いて多変量解析が行われる（ステップＳ１０８）。
【０１０１】
次いで、多変量解析により検出対象の異常陰影の特徴をどの程度有しているかを示す指標値が解析結果として得られると、その指標値に基づいて異常陰影候補の検出が行われる（ステップＳ１０９）。例えば、検出対象が腫瘤陰影であり、多変量解析結果として出力された指標値が予め腫瘤陰影に対して設定された閾値より高い場合は、真陽性の異常陰影である可能性が高いと判定され、注目画素ｐを中心としたマスクサイズ１３×１３の領域範囲が異常陰影の候補領域として検出される一方、指標値が閾値より低い場合は異常陰影である可能性が低い判定され、異常陰影候補として検出されずに次の処理、ステップＳ１１０へ移行する。
【０１０２】
このようにして、ある注目画素ｐを中心とした所定マスクサイズの領域範囲内で特徴量が算出され、その特徴量を用いて異常陰影候補の検出が行われると、全ての検出対象領域について異常陰影候補の検出が終了したか否かが判別される（ステップＳ１１０）。全ての検出対象領域について検出が終了しておらず、検出対象領域がまだ存在する場合は（ステップＳ１１０；Ｎ）、その未検出領域において注目画素ｐ′が再設定され（ステップＳ１１１）、ステップＳ２の処理に戻って再設定された注目画素ｐ′について再度特徴量の算出が繰り返される。なお、全ての画素に対して注目画素ｐ′を順次設定して異常陰影候補領域の検出を行うこととしてもよいし、ある所定間隔で順次注目画素ｐ′を設定していくこととしてもよい。
【０１０３】
一方、全ての検出対象領域に対して異常陰影候補の検出が行われ、未検出の検出対象領域が存在しない場合（ステップＳ１１０；Ｙ）、本処理を終了する。
【０１０４】
以上のように、濃度分布の曲面を構成する医用画像信号において、注目画素ｐを設定し、当該注目画素ｐを中心とした所定範囲内の曲面を近似した近似関数を算出し、当該近似関数を決定する係数から曲率を特徴量として算出して異常陰影候補の検出に用いるので、特徴的な曲面形状を構成する異常陰影の信号領域を正常組織の信号領域と区別して的確に判定することが可能となる。
【０１０５】
特に、マンモグラフィでは、乳腺のような線状の正常組織でも、細いものから太いものまで様々な太さのものが存在するので、太く塊状となった乳腺組織の陰影は円形度が高い腫瘤や丸く広がりを持った微小石灰化クラスタの陰影と判別しがたい場合がある。しかしながら、曲率を算出すると、図５に示したように乳腺のような線状組織は谷型となるに対し、腫瘤や微小石灰化クラスタは凹型を示す。従って、線状の正常組織のような偽陽性陰影を異常陰影として誤検出することを防ぐことができる。
【０１０６】
また、第２の実施の形態では、曲面を近似する近似関数の次数を変更し、各次数の近似関数毎にその近似関数の係数で曲率を算出して複数の特徴量としている。図７に示したように、近似関数の次数が高くなるにつれてその近似関数で近似された曲面には高周波成分が反映されるようになる。従って、画像信号の周波数の情報を含めて総合的に真陽性の異常陰影であるか否かを判定することができる。従って、異常陰影候補の検出精度を向上させることができる。
【０１０７】
特に、ノイズは非常に高周波な陰影として画像上に現れるので、近似関数の次数を変えて高周波信号の現れ方をとらえることにより、微小石灰化クラスタのような真陽性とノイズのような偽陽性を判別することが可能となる。
【０１０８】
なお、第１及び第２の実施の形態における記述内容は、本発明を適用した信号処理装置１０の好適な一例であり、これに限定されるものではない。
【０１０９】
例えば、上述した説明では、注目画素を順次設定してその注目画素周辺で曲率等の特徴量を算出し、算出された特徴量を用いて異常陰影候補の検出を行っていたが、検出方法はこれに限らず、まず１次検出として、アイリスフィルタやモルフォルジーフィルタ等の他の検出アルゴリズムにより検出を行い、２次検出として、若しくは１次検出の絞り込みとしてその１次検出で検出された候補領域において本発明の曲率を用いた検出アルゴリズムで検出を行うこととしてもよい。１次検出で曲率を用いる場合、全ての画素を注目画素とするため、有る程度の演算時間が必要であるが、２次検出で曲率を用いる場合は、候補の中心を注目画素として曲率を算出し、偽陽性候補削除のための１特徴量として用いることができるため、より検出精度が高まるとともに、演算時間を短縮して演算の効率化を図ることができる。
【０１１０】
また、アイリスフィルタやモルフォルジーフィルタ等を用いた他の検出アルゴリズムと本発明の曲率を用いた検出アルゴリズムとを併用し、各検出アルゴリズムで算出された特徴量やその他の特徴量、例えばアイリスフィルタで算出された濃度勾配の集中度や陰影の円形度、面積等の各種特徴量を曲率の特徴量とともに多変量解析に入力し、異常陰影であるか否かを判定することとしてもよい。これにより、総合的な判定を行うことができる。
【０１１１】
また、上述した説明では、マンモグラフィから腫瘤や微小石灰化クラスタ等の陰影を検出対象とする例で説明したが、他の部位を撮影した医用画像からその部位における異常陰影を検出する際にも本発明を適用可能である。さらに、マンモグラフィ等の放射線画像に限らず、超音波画像、ＭＲＩ（Magnetic Resonance Imaging）画像でも適用可能である。
【０１１２】
さらに、３方向成分を有する３次元信号を解析する際に曲率を求めてその信号の特徴量とするのならば、上述したような位置（ｘ方向、ｙ方向）、濃度（ｚ方向）の３方向成分からなる医用画像信号に限らず、本発明を適用可能である。例えば、周波数、時間、周波数スペクトルの３軸から構成されるサウンドスペクトログラムや、明度成分、２つの知覚色度成分からなる色信号などに対しても適用可能である。
【０１１３】
その他、第１及び第２の実施の形態における信号処理装置１０の細部構成及び細部動作に関しても、本発明の趣旨を逸脱することのない範囲で適宜変更可能である。
【図面の簡単な説明】
【０１１４】
【図１】本実施の形態における信号処理装置１０の機能的構成を示す図である。
【図２】（ａ）医用画像信号からなる曲面を示す図である。（ｂ）曲面を局所座標系で示した図である。
【図３】デジタル医用画像において画像信号から構成される濃度分布の曲面を示す図である。
【図４】マスクサイズを変えて原信号を近似関数で近似した曲面を示す図であり、（ａ）は原信号、（ｂ）は３×３のマスクサイズ、（ｃ）は５×５のマスクサイズ、（ｄ）は７×７のマスクサイズにおける近似曲面を示す図である。
【図５】平均曲率Ｈとガウス曲率Ｋの組み合わせにより分類される曲面の形状を示す図である。
【図６】第１の実施の形態における信号処理装置１０により実行される異常陰影候補検出処理を説明するフローチャートである。
【図７】近似する関数の次数を変えて原信号を近似関数で近似した曲面を示す図であり、（ａ）は原信号、（ｂ）は２次関数、（ｃ）は４次関数、（ｄ）は６次関数による近似曲面を示す図である。
【図８】第２の実施の形態における信号処理装置１０により実行される異常陰影候補検出処理を説明するフローチャートである。
【符号の説明】
【０１１５】
１０    信号処理装置
１１    ＣＰＵ
１２    Ｉ／Ｆ
１３    操作部
１４    表示部
１５    通信部
１６    ＲＡＭ
１７    ＲＯＭ
１７１    特徴量ファイル
１８    プログラムメモリ
【図１】
2005080757.tif 000005
【図２】
2005080757.tif 000006
【図３】
2005080757.tif 000007
【図４】
2005080757.tif 000008
【図５】
2005080757.tif 000009
【図６】
2005080757.tif 000010
【図７】
2005080757.tif 000011
【図８】
2005080757.tif 000012